(57)【要約】パケット交換網のノード間でパケットをルーチングする方法であって、本方法は、ルーチング情報およびペイロード・データを備えるパケットを第１のノードで受信する工程と、相対的に高い伝送速度を有する第１の伝送媒体を通してルーチング・パス内の第２のノードに前記ルーチング情報を送信する工程と、相対的に低い伝送速度を有する第２の伝送媒体を通して前記第２のノードに前記ペイロード・データを送信する工程とを有している。前記ルーチング情報の受信時点で、前記第２のノードは前記ペイロードの受信に先立ってパケットの前方へのルーチングのために準備する、または準備を始めることができる。
2010538557.tif 000002
【特許請求の範囲】
【請求項１】
パケット交換網のノード間でパケットをルーチングする方法であって、
ルーチング情報およびペイロード・データを有するパケットを第１のノードで受信する工程と、
相対的に高い伝送速度を有する第１の伝送媒体を通して前記ルーチング・パス内の第２のノードに前記ルーチング情報を送信する工程と、
相対的に低い伝送速度を有する第２の伝送媒体を通して前記第２のノードに前記ペイロード・データを送信する工程と
を有し、
前記ルーチング情報の受信時に、前記第２のノードが前記ペイロードの受信に先立って前記パケットの前方へのルーチングのために準備するまたは準備を始めることを特徴とする方法。
【請求項２】
前記第２の伝送媒体を通して前記ルーチング情報と前記ペイロード・データとの双方を送信する工程を備えることを特徴とする請求項１に記載の方法。
【請求項３】
前記第１の伝送媒体が無線インタフェースを備えており、前記第２の伝送媒体が光ファイバ・ケーブルを備えることを特徴とする請求項１または請求項２に記載の方法。
【請求項４】
前記第１の伝送媒体および第２の伝送媒体が同じ物理伝送パス上で異なるチャネルとして提供されることを特徴とする請求項１または請求項２に記載の方法。
【請求項５】
前記第１の伝送媒体が銅線より成り、前記第２の伝送媒体が光ファイバ・ケーブルより成ることを特徴とする請求項１または請求項２に記載の方法。
【請求項６】
パケット交換網にわたってパケットをルーチングするための装置であって、
相対的に高い伝送速度を有する第１の伝送媒体につなぐための第１の出口インタフェースと、
相対的に低い伝送速度を有する第２の伝送媒体につなぐための第２の出口インタフェースと、
前記第１の出口インタフェースを通して前記第１の伝送媒体にわたってパケット転送情報を送信するための、および前記第２の出口インタフェースを通して前記第２の伝送媒体にわたってペイロード・データを送信するための処理手段と
を備えることを特徴とする装置。
【請求項７】
前記処理手段が転送情報とペイロード・データとの双方を含む受信データ・パケットから前記転送情報を抽出するように構成されたことを特徴とする請求項６に記載の装置。
【請求項８】
前記第１の出口インタフェースが無線インタフェースであり、前記第２の出口インタフェースが光ファイバ・インタフェースであることを特徴とする請求項６または請求項７に記載の装置。
【請求項９】
前記第１の出口インタフェースが銅線インタフェースであり、前記第２の出口インタフェースが光ファイバ・ケーブル・インタフェースであることを特徴とする請求項６または請求項７に記載の装置。
【請求項１０】
前記第１の出口インタフェースが第１の搬送波周波数で送信する光ファイバ・インタフェース構成であり、前記第２の出口インタフェースが第２の、異なる搬送波周波数で送信する光ファイバ・インタフェース構成であることを特徴とする請求項６または請求項７に記載の装置。
【請求項１１】
パケット交換網にわたってパケットをルーチングするための装置であって、
相対的に高い伝送速度を有する第１の伝送媒体につなぐための第１の入口インタフェースと、
相対的に低い伝送速度を有する第２の伝送媒体につなぐための第２の入口インタフェースと、
第３の伝送媒体につなぐための第１の出口インタフェースと、
前記第１の入口インタフェースを通して前記第１の伝送媒体にわたってパケット転送情報を受信するための、前記第２のインタフェースを通して前記第２の伝送媒体にわたって引き続いて受信されるパケットの前方への転送を準備するために前記受信したパケット転送情報を用いるための、そして受信した場合に、前記第１の出口インタフェースを通して前記第３の伝送媒体にわたって当該パケットを転送するための処理手段と
を備えることを特徴とする装置。
【請求項１２】
前記第１の入口インタフェースが無線インタフェースであり、前記第２の入口インタフェースが光ファイバ・インタフェースであることを特徴とする請求項１１に記載の装置。
【請求項１３】
前記第１の入口インタフェースが銅線インタフェースであり、前記第２の入口インタフェースが光ファイバ・ケーブル・インタフェースであることを特徴とする請求項１１に記載の装置。
【請求項１４】
前記第１の入口インタフェースが第１の搬送波周波数で受信する光ファイバ・インタフェース構成であり、第２の入口インタフェースが第２の、異なる搬送波周波数で受信する光ファイバ・インタフェース構成であることを特徴とする請求項１１に記載の装置。
【請求項１５】
前記装置がパケットのＩＰルーチングを行うように構成されることを特徴とする請求項６から請求項１４までのいずれか一項に記載の装置。
【発明の詳細な説明】
【技術分野】
【０００１】
本発明は、パケット交換網を最適化するための方法および装置に関しており、そしてとりわけ、そのようなネットワーク内でパケットの転送を最適化するための方法および装置に関する。
【背景技術】
【０００２】
通常のパケット交換網では、各パケットは、エンド・ポイント間のノード（たとえば、ＩＰレイヤのルータ）が次ホップのルーチングを決定するために読み取らなければならない、パケット自身の転送データまたはルーチング・データ（殆んどすべてのＯＳＩレイヤにおいて異なって示される）を含む。転送を決定するのに用いられる転送データの部分は、搬送媒体とネットワーク技術との双方に依存する。この転送をできる限り速くする解決策（たとえば、ＧＭＰＬＳ＝汎用マルチ・プロトコル・ラベル・スイッチング）は存在するけれども、これらの解決策は、最初の数パケットが送信され終わって初めて機能する傾向があり、そしてエンド・ポイント間が比較的安定した構成に対してのみ効率的である。それでも、ルーチングの決定は、パケット全体、データおよびルーチング情報が届いた時点でなされることができるだけである。
【発明の概要】
【発明が解決しようとする課題】
【０００３】
当然のことながら、回線交換網（たとえば、ＰＳＴＮネットワーク）では、パスが送信以前に既に決定されているので、エンド・ポイント間でデータ伝送パスに沿ってパケットごとに交換するこのような課題を有しない。しかしながら、回線交換網は、通信パスを作成し、そして維持するために、そして話者間で通信の必要性が消滅する場合にネットワーク・リソースを解放するために、もっと複雑な信号アーキテクチャを必要とする。
【０００４】
実際のデータ・パケットを受信するに先立って、ルーチング・ノードでルーチング決定ができるようにする、回線交換のような動作をパケット交換網上で提供することが望ましい。
【課題を解決するための手段】
【０００５】
本発明の第１の態様に従って、パケット交換網のノード間でパケットをルーチングする方法が提供される。本方法は、第１のノードでパケットを受信する工程を備えており、パケットはルーチング情報およびペイロード・データを備えている。ルーチング情報はそれから、比較的高い伝送速度を有する第１の伝送媒体を通してルーチング・パス内の第２のノードに送られ、一方、ペイロード・データは比較的低い伝送速度を有する第２の伝送媒体を通して前記第２のノードに送られる。前記ルーチング情報を受信した時点で、前記第２のノードは、前記ペイロードを受信するに先立ってパケットの前進ルーチングのために準備をするか、または準備を始める。
【０００６】
本発明の実施形態に従って、ルーチング情報とペイロード・データとの双方が、ルーチング情報を前記第１の伝送媒体を通して送るのに加えて、前記第２の伝送媒体を通して送られる場合がある。
【０００７】
第１の伝送媒体は無線インタフェースを備える場合があり、一方前記第２の伝送媒体は光ファイバ・ケーブルを備える。あるいは、前記第１の伝送媒体が銅線を備える場合があり、一方前記第２の伝送媒体が光ファイバ・ケーブルを備える。勿論、広範囲にわたる他のオプションがある。
【０００８】
前記第１および第２の伝送媒体は、同一の物理伝送パス上で異なるチャネルとして提供されることができる。
【０００９】
本発明の第２の態様に従って、パケット交換網上でパケットをルーチングするための装置が提供される。本装置は、比較的高い伝送速度を有する第１の伝送媒体につなぐための第１の出口（egress）インタフェース、および比較的低い伝送速度を有する第２の伝送媒体につなぐための第２の出口インタフェースを備える。処理手段は、前記第１の出口インタフェースを通して前記第１の伝送媒体にわたってパケット転送情報を送るために、そして前記第２の出口インタフェースを通して前記第２の伝送媒体にわたってペイロード・データを送るために、提供される。
【００１０】
前記処理手段は、転送情報とペイロード・データとの双方を含む受信データ・パケットから前記転送情報を抽出するように構成可能である。
【００１１】
前記第１の出口インタフェースは無線インタフェースである場合があり、一方、前記第２の出口インタフェースは光ファイバ・インタフェースである。あるいは、前記第１の出口インタフェースが銅線インタフェースである場合があり、一方、前記第２の出口インタフェースが光ファイバ・ケーブル・インタフェースである。
【００１２】
前記第１の出口インタフェースは第１の搬送波周波数で送信する光ファイバ・インタフェース構成である場合があり、一方、前記第２の出口インタフェースは第２の、異なる搬送波周波数で送信する光ファイバ・インタフェース構成である。
【００１３】
本発明の第３の態様に従って、パケット交換網上でパケットをルーチングするための装置が提供される。本装置は、比較的高い伝送速度を有する第１の伝送媒体につなぐための第１の入口（ingress）インタフェース、比較的低い伝送速度を有する第２の伝送媒体につなぐための第２の入口インタフェース、および第３の伝送媒体につなぐための第１の出口インタフェースを備える。処理手段は、前記第１の入口インタフェースを通して前記第１の伝送媒体にわたってパケット転送情報を受信するために、前記第２のインタフェースを通して前記第２の伝送媒体にわたって連続して受信するパケットの前進転送を準備するのに受信したパケット転送情報を用いるために、そして受信した場合に、前記第１の出口インタフェースを通して前記第３の伝送媒体にわたってそのようなパケットを転送するために、提供される。
【００１４】
前記第１の入口インタフェースは無線インタフェースである場合があり、前記第２の入口インタフェースは光ファイバ・インタフェースである。あるいは、前記第１の入口インタフェースが銅線インタフェースである場合があり、一方、前記第２の入口インタフェースが光ファイバ・ケーブル・インタフェースである。
【００１５】
前記第１の入口インタフェースは第１の搬送波周波数で受信する光ファイバ・インタフェース構成である場合があり、前記第２の入口インタフェースは第２の、異なる搬送波周波数で受信する光ファイバ・インタフェース構成である。
【００１６】
本発明の特別な実施形態では、装置はパケットのＩＰルーチングを行うように構成される。
【図面の簡単な説明】
【００１７】
【図１】様々な媒体内での信号速度を説明する図である。
【図２】二重接続されたネットワークの機能アーキテクチャを説明する図である。
【図３】図２のネットワークの送信ノードおよび受信ノードを概略的に説明する図である。
【図４Ａ】図３の送信ノードで実行される処理を説明するフロー図である。
【図４Ｂ】図３の受信ノードで実行される処理を説明するフロー図である。
【図５】ネットワーク・ノードでの先行技術のパケット処理メカニズムを説明する図である。
【図６】二重接続されたネットワーク内にあるネットワーク・ノードでのパケット処理を説明する図である。
【図７】二重接続されたネットワークを提供するように高度化された光リングを説明する図である。
【発明を実施するための形態】
【００１８】
通信ネットワーク内において、様々な媒体の信号伝搬速度およびデータ伝送帯域は異なる。これは特に、高帯域光ファイバ・ケーブル、および低帯域無線（空中／真空中）または銅線のいずれかに当てはまる。この現象は、２つ（またはそれ以上の）並列ネットワークで構成されるパケット・データ伝送ネットワーク・システムを構築し、そしてパケットを転送（たとえば、ルーチング）情報とデータに分割して、そして２つの成分を最も適切な媒体で送信することにより、パケット交換網の性能を向上させるために、異なる媒体の信号伝搬速度差および内在する帯域能力を用いる興味深い可能性を提供する。たとえば、適切な伝搬速度差を提供できる次の現存する通信媒体対を考える。
【００１９】
●銅線と光ファイバ・ケーブル（歴史的な理由で、これらは今日のネットワーク・トポロジーで共存でき、そして共存する）
●空中無線と光ファイバ・ケーブル
低周波数および高周波数が種々の光ファイバ・ケーブル内を（または同じ光ファイバ・ケーブル内でさえ）種々の速度で伝わるという事実はまた、長距離（たとえば、大洋横断）にわたって活用が可能であることができ、ここでは、第１のデータ成分を低周波数チャネル上で送り、そして他の成分を高周波数チャネル上で送ることができる。
【００２０】
高速の予約設定は、ハンドオーバ／ソフト・ハンドオーバ要求のために厳格なタイミングがある、無線アクセス・ネットワークでは特に重要であることができる。エア・インタフェースでのパケット伝送のスケジューリングは、本手法を採用することにより、改善できる。
【００２１】
一般に、媒体におけるデジタル信号の伝搬は、位相速度よりもむしろ信号パルスの群速度に依存している。したがって、種々の媒体における位相速度を比較することにより伝搬時間の相対的な差の第１推定値を得ることができる。図１の表に示している値を考慮すると、距離ｓにわたって伝わる場合、得られる時間差は、Δt=s*(1/v_media1-1/v_media2)である。媒体１がファイバであり、そして媒体２が銅線である場合、ｓ＝１ｋｍに対してΔt＝〜０．５５マイクロ秒である。この時間差は、現存するＡＤＳＬ２＋接続の場合、約１５ビットに等しい。銅線の場合、実際に使用できる距離は、信号劣化のために、使用される伝送技術に依存して数キロメートルの桁で、たとえば〜５−１０ｋｍより少ないことに留意されたい。媒体１がファイバであり、そして媒体２が空中無線である場合、ｓ＝１ｋｍに対してΔt＝〜１．５４マイクロ秒である。距離が１０００ｋｍ（たとえば、大西洋横断光ファイバ・ケーブル＋無線）であると、Δtは１．５４ミリ秒の近辺である。
【００２２】
異なる伝搬速度を有する２つの異なる“チャネル”を提供する手段のさらなる例として、（非常に短い）パケット転送情報が自然の伝搬パス上で送られ、電波が大気の上層部と地面／海との間で反射される、長波の無線伝送を考えることができる。転送情報およびデータが異なるチャネルを用いると、伝搬時間は異なるチャネルの長さのために、３０マイクロ秒／ｄほども、著しく異なることがあり、ここでｄはｋｍ単位の差である。
【００２３】
“二重パケット交換”ネットワーク・トポロジーが構築でき、そこではパケット交換網で回線交換のような動作を創出するために、転送ノードは異なる種類の媒体を用いて並行する二重の伝送“回線”上で連結される。エッジ・ノードは、前記二重のパケット交換網トポロジー内部にある別の二重交換ノードに向かって“二重に”のみ連結され、そして特定の二重パケット交換網の外部にあるノードに“単独で”連結される。２つの異なる媒体は、通常低帯域のみを必要とする転送情報（‘信号データ’）がより高速であるが低帯域の媒体で送られ、そして高帯域を必要とするデータがより高速の媒体で送られるように、用いられる。受信ノードは、高速の媒体で転送情報を受信することによりデータがまもなく届くとの注意を喚起され、そして所望の宛先に向けてデータ・パケット全体を転送するように高帯域リンクの転送“エンジン”を準備する。データ・パケットが受信される場合、データ・パケットは次ホップに極めて迅速に転送できる。次ホップ・ノードがまた転送ノードと二重接続されると、転送ノードは高速リンクで次ホップ・ノードに転送情報を送るであろう。このアーキテクチャを図２に説明している。
【００２４】
元のパケットが保たれ、すなわち転送情報とデータとの双方を含んだままであり、そしてパケット全体がより低速のリンクで送られることがあり得る。転送情報の“コピー”がそれから高速のリンクで送られる。すべてが光の、すなわち光の伝送およびルーチングを備えているネットワークでは、実際にパケットを物理的に分割することが起きる場合がある。
【００２５】
図３は、送信ノード１および受信ノード５を概略的に説明しており、双方のノードはエッジ・ノードを表わしており、説明されているように二重のパケット交換網（図示されていない）により相互接続されている。図４Ａおよび図４Ｂは、それぞれ、送信ノードおよび受信ノードで実行される処理を説明するフロー図を含む。
【００２６】
送信ノード１は、高速の出口インタフェース２および低速の出口インタフェース３を備える。これらのインタフェースは、それぞれ、信号情報およびパケット・データの転送に関与する。プロセッサ４は、着信パケットからルーチング情報を抽出すること（工程１および工程２）、そしてルーチング情報を高速の出口２に、そしてデータ・パケット自身を低速の出口３に渡すこと（工程３および工程４）に関与する。受信ノード５は、送信ノードから信号を受信する（工程１０）ための高速の入口インタフェース６、および送信ノードからデータ・パケットを受信する（工程１２）ための低速の入口インタフェース７を備える。プロセッサ９は、受信した信号を調べ、そしてデータ・パケットの受信に備えてパケット転送メカニズムを事前設定する（工程１１）。当該パケットが受信される場合、プロセッサは、事前設定された転送メカニズムに従ってパケットを出口８で転送する（工程１３）。
【００２７】
本提案は、アプリケーション固有の方法で適用可能である。本提案を有用に採用可能であるアプリケーションは、
●緊急呼、そして特に映像および医療データ・ストリーム、または他の公衆安全関連通信を伴う可能性のあるデータ集約型緊急呼のための優先パスの開通
●公衆ネットワーク・ノードを通過する必要がある国の安全に関連するデータ伝送のための優先パスの開通
を含む。
【００２８】
優先フロー処理は、近年、実時間データ・フローに対して仕様化された［Ｆｒａｎｃｏｉｓ  Ｌｅ  Ｆａｕｃｈｅｕｒ、Ｊａｍｅｓ  Ｐｏｌｋ：リソース留保プロトコル（ＲＳＶＰ）の緊急サービスのための拡張、ＩＥＴＦ草案、http://www.ietf.org/internet-drafts/draft-ietf-tsvwg-emergency-rsvp-03.txt］。この標準は優先フローが送られる前に予告（advance）信号を提供する。各転送要素において、リソースが優先フローのために留保される。転送ノードに十分なリソースがないと、１つ以上の低順位の優先フローが割り込まれる。本提案は、この予告信号を提供するのに都合よく採用可能である。信号メッセージおよび優先データ・パケットは、実質的に同時に送られる。信号と優先データとの間の伝搬時間差により、転送要素に前もって必要な行動を取ること、すなわちリソースを留保して、低順位の優先パケットを廃棄し、またはＩＥＴＦ標準に従って低順位の優先パケットを低順位の優先権待ち行列に入れる予定を立てることができる。
【００２９】
本提案はまた、様々な異なるビジネス・シナリオに対して異なるサービス品質（ＱｏＳ）を提供するのに使用できる。ＩＥＴＦのＮＳＩＳ作業グループが、現在新しいＱｏＳ信号プロトコルを標準化中である。ＮＳＩＳ信号プロトコルは、２つのレイヤ、信号トランスポート・レイヤ（ＮＴＬＰ）および信号アプリケーション・レイヤ（ＮＳＬＰ）で構成される［Ｒ．Ｈａｎｃｏｃｋ  ｅｔ  ａｌ．、信号（ＮＳＩＳ）の次の段階：フレームワーク、ＲＦＣ  ４０８０、http://www.ietf.org/html.charters/nsis-charter.html］。ＮＴＬＰは現在、データ・パケットと同じパス上で信号メッセージを搬送できるようにする（パス内（on-path）信号）。しかしながら、ＮＴＬＰをパス外（off-path）信号に拡張する提案があり、これは、信号メッセージが必ずしもデータ・パスを辿る必要がないことを意味する。このことが、本提案を使用して高速のＱｏＳ留保を達成できるようにするであろう。信号留保メッセージは、データ・パケットと実質的に同時かまたはより早くに送られ、データ・パケットは留保応答メッセージを待たずに送られる。高速の信号チャネルを用いて、リソースは、データが届くまでに転送ノード（ルータ）で留保されるであろう。データが、留保応答メッセージが受信される前に、すなわち提案されたＮＳＩＳシーケンスに従って送られなくても、処理は、信号に低速のデータ・チャネルを用いるよりもさらに速いであろう。
【００３０】
ＩＰネットワークにおいてＱｏＳを提供するための別のメカニズムは、サービスの差別化（Ｄｉｆｆｓｅｒｖ）として知られているＩＥＴＦ標準である。Ｄｉｆｆｓｅｒｖｅネットワークでは、ＩＰルータは、パケット・ヘッダに含まれるコード・ポイント（ＤＳＣＰ）に従ってパケットを処理する。サービス・レベル合意に基づいて、Ｄｉｆｆｓｅｒｖネットワークは、異なるＤＳＣＰｓで印を付けられたパケットに対して異なる転送サービスを提供する。処理は、ＩＰルータ内で静的に定義される傾向があり、ネットワーク管理システムによりオフラインで定義される。本提案は、パケットのＤＳＣＰを、高速の信号チャネルを通してＤｉｆｆｓｅｒｖドメインに前もって送ることができるようにするであろう。データがＤｉｆｆｓｅｒｖドメインに達するまでに、ドメインはデータを受け取り、そして所要の転送サービス、通常実時間データを提供するように準備できる。
【００３１】
光のバースト交換またはパケット交換は、ルーチング情報の“事前通知”から恩恵を受ける場合がある。たとえば、大抵は低速の光クロス・コネクト構成が、光−電気−光変換を必要とせずにバースト／パケットが光レイヤだけで交換できるように、前もってうまく始められることができよう。
【００３２】
光パケット交換（ＯＰＳ）の場合、転送情報は光パケットのヘッダ内に符号化される。先行技術のＯＰＳノードでは、出力ポートで着信信号は、図３に説明しているように、２つの部分に分割される。信号の一部は、電気デバイスまたは光デバイスのいずれかで構成される、ヘッダ処理部により処理される。ヘッダ処理部はスイッチ自体を制御し、スイッチもやはり、電気または光の構成要素を用いて実現できる。ヘッダ処理が生じているうちは、データ・パケットは遅らされなければならない。これは大抵、光ＲＡＭまたは集積光バッファの解決策を欠くために、光遅延線（通常数キロメートル長）によりなされる。本明細書で提示している提案を用いると、転送情報は、データとは独立した（可能な限り狭帯域の）チャネルで前もって送ることができる。これを図４に説明している。
【００３３】
図５は、光スイッチが無線チャネルにより制御される光リングを説明している。無線チャネルはファイバより高速で、そして短いパスを用い、したがって、ヘッダ情報は宛先の光スイッチ内により早く届く。ノードでは、スイッチはデータ・パケットが届くまでに所要の方法で調整される。この解決策は、スイッチの少なくとも２つの構成要素（入力スプリッタおよび入力遅延線）を除去できるようにする。入力スプリッタを省略することにより、さらなる構成要素、たとえば光増幅器が、信号電力が低下しないので節約できる。光遅延線を取り除くことができると、スイッチは完全に集積可能である。スイッチ、データおよびヘッダ情報を、注意深くタイミングをとることが、勿論必要である。
【００３４】
バースト交換の場合、光ドメインのエッジ・ノードで、同じ出力エッジ・ノード宛のパケットは、より大きな光パケット（バースト）に組み立てられる。信号を用いることにより、光パスが確立される。光パスが一旦確立されると、光パスはデータ・パケットには文字通りトランスペアレントである。利用できる帯域はファイバの物理的特性および光パスの他端での受信機の分解能により制限され、このことは超高帯域を意味する。データ・パケットは、光パスが確立されている（データ・パスに沿ったすべてのスイッチが正しく調整されている）場合に限り送られる。信号がデータ・パケットよりも高速のチャネルを使用できると、バーストは信号と同時に送ることができよう。光パスは、バーストが届く直前に確立される。この解決策は、従来のバースト交換の解決策よりもリソースが少なくて済む。さらに、光パスが確立されているうちは、データを遅らせる必要はない。
【００３５】
本発明のある実施形態の１つの長所は、二重接続されたネットワークを認知できないレガシー・ノード（たとえば、ルータ）には、処理がトランスペアレントになる場合があるということである。これらのノードは、従来の規則に従ってデータ・パケットを転送可能である。
【００３６】
当業者には当然のことながら、本発明の範囲から逸脱することなく、様々な修正が上述した実施形態になされる可能性がある。
【図１】
2010538557.tif 000003
【図２】
2010538557.tif 000004
【図３】
2010538557.tif 000005
【図４Ａ】
2010538557.tif 000006
【図４Ｂ】
2010538557.tif 000007
【図５】
2010538557.tif 000008
【図６】
2010538557.tif 000009
【図７】
2010538557.tif 000010
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
パケット交換網のノード間でパケットをルーチングする方法であって、
ルーチング情報およびペイロード・データを有するパケットを第１のノードで受信する工程と、
相対的に高い伝送速度を有する第１の伝送ネットワークを通して前記ルーチング・パス内の第２のノードに前記ルーチング情報を送信する工程と、
前記第１の伝送ネットワークと並列に設けられた相対的に低い伝送速度を有する第２の伝送ネットワークを通して前記第２のノードに前記ペイロード・データを送信する工程と
を有し、
前記ルーチング情報の受信時に、前記第２のノードが前記ペイロードの受信に先立って前記パケットの前方へのルーチングのために準備するまたは準備を始めることを特徴とする方法。
【請求項２】
前記第２の伝送ネットワークを通して前記ルーチング情報と前記ペイロード・データとの双方を送信する工程を備えることを特徴とする請求項１に記載の方法。
【請求項３】
前記第１の伝送ネットワークが無線インタフェースを備えており、前記第２の伝送ネットワークが光ファイバ・ケーブルを備えることを特徴とする請求項１または請求項２に記載の方法。
【請求項４】
前記第１の伝送ネットワークが銅線より成り、前記第２の伝送ネットワークが光ファイバ・ケーブルより成ることを特徴とする請求項１または請求項２に記載の方法。
【請求項５】
パケット交換網にわたってパケットをルーチングするための装置であって、
相対的に高い伝送速度を有する第１の伝送ネットワークにつなぐための第１の出口インタフェースと、
前記第１の伝送ネットワークと並列に設けられた相対的に低い伝送速度を有する第２の伝送ネットワークにつなぐための第２の出口インタフェースと、
前記第１の出口インタフェースを通して前記第１の伝送ネットワークにわたってパケット転送情報を送信するための、および前記第２の出口インタフェースを通して前記第２の伝送ネットワークにわたってペイロード・データを送信するための処理手段と
を備えることを特徴とする装置。
【請求項６】
前記処理手段が転送情報とペイロード・データとの双方を含む受信データ・パケットから前記転送情報を抽出するように構成されたことを特徴とする請求項５に記載の装置。
【請求項７】
前記第１の出口インタフェースが無線インタフェースであり、前記第２の出口インタフェースが光ファイバ・インタフェースであることを特徴とする請求項５または請求項６に記載の装置。
【請求項８】
前記第１の出口インタフェースが銅線インタフェースであり、前記第２の出口インタフェースが光ファイバ・ケーブル・インタフェースであることを特徴とする請求項５または請求項６に記載の装置。
【請求項９】
パケット交換網にわたってパケットをルーチングするための装置であって、
相対的に高い伝送速度を有する第１の伝送ネットワークにつなぐための第１の入口インタフェースと、
前記第１の伝送ネットワークと並列に設けられた相対的に低い伝送速度を有する第２の伝送ネットワークにつなぐための第２の入口インタフェースと、
第３の伝送ネットワークにつなぐための第１の出口インタフェースと、
前記第１の入口インタフェースを通して前記第１の伝送ネットワークにわたってパケット転送情報を受信するための、前記第２のインタフェースを通して前記第２の伝送ネットワークにわたって引き続いて受信されるパケットの前方への転送を準備するために前記受信したパケット転送情報を用いるための、そして受信した場合に、前記第１の出口インタフェースを通して前記第３の伝送ネットワークにわたって当該パケットを転送するための処理手段と
を備えることを特徴とする装置。
【請求項１０】
前記第１の入口インタフェースが無線インタフェースであり、前記第２の入口インタフェースが光ファイバ・インタフェースであることを特徴とする請求項９に記載の装置。
【請求項１１】
前記第１の入口インタフェースが銅線インタフェースであり、前記第２の入口インタフェースが光ファイバ・ケーブル・インタフェースであることを特徴とする請求項９に記載の装置。
【請求項１２】
前記装置がパケットのＩＰルーチングを行うように構成されることを特徴とする請求項５から請求項１１までのいずれか一項に記載の装置。
【国際調査報告】
2010538557.tif 000011
2010538557.tif 000012